(57)【特許請求の範囲】
【請求項１】
ネットワークを構成するＬ２ＳＷ装置を含むネットワーク装置に対し、回線の設定および試験を実施するネットワーク管理装置であって、
オペレータの操作に基づいて回線の設定および試験を実施する時刻を指定する自動開通実施時刻指定部と、
予め指定された時刻にオーダ内容に基づいて設計済の回線を抽出する自動オーダ抽出部と、
予め指定された時刻に前記抽出された設計済の回線に対応するネットワーク装置の最新のＭＡＣアドレスを収集する自動ＭＡＣアドレス収集部と、
前記自動開通実施時刻指定部で指定された時刻に前記抽出された設計済の回線に対応するネットワーク装置に試験を行うための設定を行う自動設定処理部と、
前記設定が行われたネットワーク装置に対して前記収集された最新のＭＡＣアドレスを用いて試験を行う自動試験処理部と、
前記設定が行われたネットワーク装置への前記試験の進捗を管理するとともに、前記試験の結果を管理する自動ステータス／結果管理部と
を少なくとも備えたことを特徴とするネットワーク管理装置。
【請求項２】
前記自動ステータス／結果管理部は、
さらに、前記抽出された設計済の回線に対応するネットワーク装置への前記設定の進捗を管理するとともに、前記設定の結果を管理する
ことを特徴とする請求項１に記載のネットワーク管理装置。
【請求項３】
前記回線は、前記ネットワーク上に設定される仮想ＬＡＮである
ことを特徴とする請求項１又は２に記載のネットワーク管理装置。
【請求項４】
ネットワークを構成するＬ２ＳＷ装置を含むネットワーク装置に対し、回線の設定および試験を実施するネットワーク管理方法において、
オペレータの操作に基づいて回線の設定および試験を実施する時刻を指定する自動開通実施時刻指定工程と、
予め指定された時刻にオーダ内容に基づいて設計済の回線を抽出する自動オーダ抽出工程と、
予め指定された時刻に前記抽出された設計済の回線に対応するネットワーク装置の最新のＭＡＣアドレスを収集する自動ＭＡＣアドレス収集工程と、
前記自動開通実施時刻指定工程で指定された時刻に前記抽出された設計済の回線に対応するネットワーク装置に試験を行うための設定を行う自動設定処理工程と、
前記設定が行われたネットワーク装置に対して前記収集された最新のＭＡＣアドレスを用いて試験を行う自動試験処理工程と、
前記設定が行われたネットワーク装置への前記試験の進捗を管理するとともに、前記試験の結果を管理する自動ステータス／結果管理工程と
を少なくとも含むことを特徴とするネットワーク管理方法。
【発明の詳細な説明】
【技術分野】
【０００１】
本発明は、ネットワークを構成するＬ２ＳＷ（レイヤ２スイッチ）装置等に対し、回線の設定および試験を実施するネットワーク管理技術に関する。
【背景技術】
【０００２】
従来のこの種のネットワーク管理装置では、図１に示すようにオペレータ端末のＧＵＩ（Ｇｒａｐｈｉｃａｌ  Ｕｓｅｒ  Ｉｎｔｅｒｆａｃｅ）をオペレータが操作して、ネットワークを構成するＬ２ＳＷ装置に対し、回線（ＶＬＡＮ：Ｖｉｒｔｕａｌ  ＬＡＮ）の設計に伴う設定および試験対象回線の抽出・設定・試験を実施していた。
【０００３】
ここで、Ｌ２ＳＷ装置は、ＩＥＥＥ８０２．１Ｑ等で定められた仮想ネットワークの技術を適用したイーサネット（登録商標）（非特許文献１参照）の規格に準拠する。また、Ｌ２ＳＷ装置には、ＩＴＵ−Ｔ Ｒｅｃ．Ｇ．８０３２／Ｙ．１３４４（非特許文献５参照）のイーサネットのリング・プロテクションが適用・実装されている。また、試験を実施するＰｉｎｇはＲＦＣ７９２（非特許文献３参照）やＲＦＣ４４４３（非特許文献４参照）で定められたＩＣＭＰ（Ｉｎｔｅｒｎｅｔ Ｃｏｎｔｒｏｌ Ｍｅｓｓａｇｅ Ｐｒｏｔｏｃｏｌ）のプロトコルを利用して実装されており、Ｅｔｈｅｒｎｅｔ（登録商標）ＯＡＭはＩＴＵ−Ｔ  Ｇ．８０１３／Ｙ．１７３１, ０７／２０１１（非特許文献２参照）で定められたＬＢ（ＬｏｏｐＢａｃｋ）が実装されている。前記Ｌ２ＳＷ装置には、試験の際に必要となるＩＣＭＰのｅｃｈｏ ｒｅｑｕｅｓｔおよびＩＣＭＰのｅｃｈｏ ｒｅｐｌｙの送受信機能が適用・実装されている。
【発明の概要】
【発明が解決しようとする課題】
【０００４】
ところで、上述した従来のネットワーク管理装置では、オペレータの操作に基づいて回線の設定および試験を実施していたため、図２に示すように、
（ａ）基本的に平日日勤帯での作業が必要であり、回線数増加で日常業務が輻輳し、サーバの高負荷、レスポンス応答が悪くなる
（他の設計に伴う設定作業と重複する繁忙時間であると、サーバの性能上負荷がかかる）
（ｂ）回線（ＶＬＡＮ）を設定する前にその回線が設計済かどうかの確認が必要
（設計済でないと、その設計内容をＬ２ＳＷ装置に設定不可）
（ｃ）オペレータの操作ミスおよび操作忘れの可能性有り（（ＬＢ（非特許文献２参照）試験用）ＭＡＣアドレス（非特許文献１参照）収集、対象回線抽出、設定、試験（Ｐｉｎｇ（非特許文献３、４参照）、ＬＢを回線数分１つ１つ順次実施））
（操作をミスすると、復旧に作業工程／時間と運用コストがかかる）
という課題があった。また、回線（ＶＬＡＮ）数の増加に伴い、作業時間と運用コストが増加するという課題もあった。
【課題を解決するための手段】
【０００５】
本発明では前記課題を解決するため、図１、図３、図４に示すように、ネットワークを構成するＬ２ＳＷ装置等に対し、ネットワーク管理装置から以下の（１）を行うとともに、（２）〜（６）の一連の工程を自動化する。
（１）自動化の時刻（自動的に実施する回線の設定および試験の実施時刻）を指定（例えば、夜間・土日休日に分散させて実施）
（繁忙時間帯のサーバ負荷を分散させることが可能）
（２）設計済の回線（ＶＬＡＮ）の内容を抽出
（抽出した中から、自動設定したいもの／自動設定させたくないものを、オペレータが指定することも可能）
（３）（ＬＢ試験用）Ｌ２ＳＷ装置のＭＡＣアドレス収集
（４）〜（６）回線（ＶＬＡＮ）の設定と回線に関連する試験（Ｐｉｎｇ、ＬＢ）を、対象回線数分まとめて実施
【発明の効果】
【０００６】
本発明によれば、図２に示すように、
（ａ’）平日日勤帯の業務の輻輳防止と、サーバの稼働負荷軽減とレスポンス応答の改善、サーバ負荷軽減した分、他の設計作業を実施可能
（ｂ’）オペレータの作業工程／時間および運用コストの削減
（ｃ’）オペレータの操作ミスおよび操作忘れ防止と、操作をミスした際の復旧作業の削減
という効果を奏することができる。
【図面の簡単な説明】
【０００７】
【図１】従来技術および本発明の概要を示す説明図
【図２】従来技術の課題と本発明の具体的な効果を示す説明図
【図３】本発明のネットワーク管理装置の実施の形態の一例を示す構成図
【図４】本発明のネットワーク管理装置における処理の流れの一例を示すフローチャート
【図５】自動開通実施時刻指定部の動作のようすの一例を示す説明図
【図６】自動オーダ抽出部の動作のようすの一例を示す説明図
【図７】自動オーダ抽出部および自動ＭＡＣアドレス収集部の動作の結果の一例を示す説明図
【図８】自動ステータス／結果管理部の動作の結果の一例を示す説明図
【発明を実施するための形態】
【０００８】
以下、本発明について図面を参照して説明する。
【０００９】
図３は本発明のネットワーク管理装置の実施の形態の一例を、本発明で想定するネットワーク構成とともに示すものである。図４は本発明のネットワーク管理装置における処理の流れの一例を示すものである。
【００１０】
ネットワークはネットワーク装置、ここではＬ２ＳＷ装置１，２，３，４と、メディアコンバータ１（ＬＢ試験可能なもので、局内に設置）と、メディアコンバータ２（ＬＢ試験可能なもので、宅内に設置）とで構成されており、各Ｌ２ＳＷ装置１〜４をリング状のネットワークＡ，Ｂに接続する物理リンクを備えており、Ｌ２ＳＷ装置２，３はネットワークＡ，Ｂの両方に接続する物理リンクを備えている。また、各Ｌ２ＳＷ装置１〜４とメディアコンバータ１（メディアコンバータ２に対する設定や情報取得は、メディアコンバータ１から実施）は、これを制御するネットワーク管理装置１０とｔｅｌｎｅｔ等により接続される。ここで、ネットワークＡ，ＢはＶＬＡＮである。
【００１１】
各Ｌ２ＳＷ装置１〜４および各メディアコンバータ１，２は、ＩＥＥＥ８０２．１Ｑ等で定められた仮想ネットワークの技術を適用したイーサネットの規格に準拠する。また、各Ｌ２ＳＷ装置１〜４には、ＩＴＵ−Ｔ Ｒｅｃ．Ｇ．８０３２／Ｙ．１３４４（非特許文献５参照）のイーサネットのリング・プロテクションが適用・実装されている。また、試験を実施するＰｉｎｇは、ＲＦＣ７９２（非特許文献３参照）やＲＦＣ４４４３（非特許文献４参照）で定められたＩＣＭＰ（Ｉｎｔｅｒｎｅｔ Ｃｏｎｔｒｏｌ Ｍｅｓｓａｇｅ Ｐｒｏｔｏｃｏｌ）のプロトコルを利用して実装されており、ＥｔｈｅｒｎｅｔＯＡＭはＩＴＵ−Ｔ  Ｇ．８０１３／Ｙ．１７３１, ０７／２０１１（非特許文献２参照）で定められたＬＢ（ＬｏｏｐＢａｃｋ）が実装されている。各Ｌ２ＳＷ装置１〜４には、試験の際に必要となるＩＣＭＰのｅｃｈｏ ｒｅｑｕｅｓｔおよびＩＣＭＰのｅｃｈｏ ｒｅｐｌｙの送受信機能が適用・実装されている。
【００１２】
各Ｌ２ＳＷ装置１〜４およびメディアコンバータ１には、ネットワーク管理装置１０からのアクセス用にＩＰアドレスが割り当てられている。Ｌ２ＳＷ装置ＩＰアドレスはｔｅｌｎｅｔ等でネットワーク管理装置１０から接続して当該Ｌ２ＳＷ装置へ設定・試験するためのアウトチャネルのＩＰアドレスであり、インチャネルの試験用のＩＰアドレスとは異なる。
【００１３】
Ｐｉｎｇ試験を行う場合は、試験対象の各Ｌ２ＳＷ装置ＩＰアドレス宛にアクセスして、送信元および宛先では試験用ＩＰアドレスを設定し、送信元では送信元の送信用ポートと宛先の試験用ＩＰアドレスとを指定して、送信元から宛先に対してＰｉｎｇ試験用のパケットが送信される。
【００１４】
ＥｔｈｅｒｎｅｔＯＡＭのＬＢ試験を行う場合は、試験対象の当該Ｌ２ＳＷ装置およびメディアコンバータのＩＰアドレス宛にアクセスして、送信元では送信元のＭＥＰ ＩＮＤＥＸと宛先の（ＭＥＰを設定しているポートの）ＭＡＣアドレスとを指定して、送信元から宛先に対してＬＢ試験用のフレームが送信される。
【００１５】
ここで、ＭＡＣアドレスは装置交換等でも変更されるため、試験実施の際には、ネットワーク管理装置１０が各Ｌ２ＳＷ装置およびメディアコンバータから収集してきたＭＡＣアドレスの情報と、各Ｌ２ＳＷ装置およびメディアコンバータ自身が保持するＭＡＣアドレスの情報とを一致させておく必要がある。
【００１６】
本発明では、ネットワーク管理装置１０において、回線の設定および試験の実施時刻の指定（繁忙時間帯のサーバの負荷分散）を行うとともに、設計済回線の抽出、（ＬＢ試験用）ＭＡＣアドレスの収集、上述のようなネットワークを構成する各Ｌ２ＳＷ装置およびメディアコンバータに対する設定・試験（Ｐｉｎｇ、ＬＢ）、設定／試験のステータスおよび結果の管理という一連のオペレータの作業を自動化する。
【００１７】
ネットワーク管理装置１０は、各Ｌ２ＳＷ装置およびメディアコンバータに対する設定および試験（ただし、試験（Ｐｉｎｇ、ＬＢ）は設定結果がＯＫのもののみ続けて実施）を自動的に実施する時刻を指定する自動開通実施時刻指定部１１と、毎日定時（例えば１８：００）に設計済の回線を自動的に抽出する自動オーダ抽出部１２と、毎日定時（例えば１９：００）に各Ｌ２ＳＷ装置およびメディアコンバータの（ＬＢ試験用）ＭＡＣアドレスを自動的に収集する自動ＭＡＣアドレス収集部（ＬＢ試験用）１３と、各Ｌ２ＳＷ装置およびメディアコンバータへの設定を自動的に行う自動設定処理部１４と、各Ｌ２ＳＷ装置およびメディアコンバータへの試験を自動的に行う自動試験処理部１５と、自動化した設定・試験の進捗、ステータスおよび結果を管理する自動ステータス／結果管理部（設定・試験実施に関する内容）１６とを備えている。
【００１８】
ここで、図４のフローチャートの通り、（１）〜（６）の順に実施する。自動オーダ抽出部１２で設定済の回線を自動的に抽出することを考慮すると、図１の通り、図４のフローチャートの処理を行う前に、対象回線のオーダ受付、設計は終了させているものが、図４のフローチャートの自動化の対象となる。自動オーダ抽出部１２と自動ＭＡＣアドレス収集部（ＬＢ試験用）１３の定時については、一度時刻を決めておけば毎日同じ時刻に実行する。自動オーダ抽出部１２と自動ＭＡＣアドレス収集部（ＬＢ試験用）１３の定時の例として、日勤帯の勤務時間（例：９：３０〜１８：００）以外の時間を考慮して、１８：００以降で指定する。
【００１９】
以下、図３〜８に従って具体的に説明する。
【００２０】
（１）自動開通実施時刻指定部１１は、図５に示すようにネットワークＡ，Ｂ、アクセス区間の自動設定実施時刻として開始時刻と終了時刻を、事前にオペレータがオペレータ端末のＧＵＩを介して設定しておく。
【００２１】
ここで、後述する設定が終了した後で、設定結果がＯＫのものは続けて試験（Ｐｉｎｇ、ＬＢ）を実施するものとする。
【００２２】
（２）自動オーダ抽出部１２は、上述のように毎日定時（例えば１８：００）に、図６に示すようにオーダ内容から回線のステータスが「設計済」で設定が可能なものを自動的に抽出する。
【００２３】
ここで、自動的に抽出した後に、オペレータが自動設定したいもの／させたくないものを選択することが可能である。
【００２４】
（３）自動ＭＡＣアドレス収集部（ＬＢ試験用）１３は、上述のように毎日定時（例えば１９：００）に、ＬＢ宛先になる可能性があるＭＡＣアドレスを、各Ｌ２ＳＷ装置およびメディアコンバータから自動的に収集して、図７に示すように最新のＭＡＣアドレスに更新する。
【００２５】
上述のように、ＭＡＣアドレスは装置交換等でも変更される。そのため、変更前のＭＡＣアドレスでの試験結果はＮＧになるため、最新のＭＡＣアドレスに更新する必要がある。
【００２６】
ここで、自動化のＬＢ試験におけるＬＢ宛先はメディアコンバータ２（宅内）であるが、通常の故障箇所切り分け等にＬＢ試験を用いることも考慮して、各Ｌ２ＳＷ装置からもＭＡＣアドレスを自動的に収集して、最新のＭＡＣアドレスに更新しておく。
【００２７】
（４）自動設定処理部１４は、自動開通実施時刻指定部１１で指定した時刻に、ネットワークＡ，Ｂ、アクセス区間の順番に、図７に示すような回線の設計内容で、図３に示すように、各Ｌ２ＳＷ装置およびメディアコンバータへの設定を自動的に実施する。
【００２８】
ここで、図１に示すようにオペレータおよびオペレータ端末のＧＵＩを介さずに、自動設定処理部１４から既存の設定処理部を呼び出して、各Ｌ２ＳＷ装置およびメディアコンバータに設定を行う。
【００２９】
（５）自動試験処理部１５は、自動設定処理部１４で設定され、設定結果がＯＫであった回線に対して、図７に示すような回線におけるＰｉｎｇ送信元／宛先、ＬＢ送信元／宛先の設計内容で、図３に示すように、各Ｌ２ＳＷ装置へ試験を自動的に実施する。
【００３０】
ここで、図８に示すように自動設定処理部１４で設定され、設定結果がＮＧであった回線に対しては、試験を行っても試験結果はＮＧになるため、試験を行わない。
【００３１】
また、図１に示すように、オペレータおよびオペレータ端末のＧＵＩを介さずに、自動試験処理部１５から既存の試験処理部を呼び出して、各Ｌ２ＳＷ装置およびメディアコンバータに試験を行う。
【００３２】
（６）自動ステータス／結果管理部（設定・試験実施に関する内容）１６は、図８に示すように、自動設定処理部１４の設定の進捗（発行）状況（未発行、発行中、発行済）を管理する設定発行ステータス、設定の結果（ＯＫ／ＮＧ）を管理する設定結果、自動試験処理部１５の試験の進捗（発行）状況（未発行、発行中、発行済）を管理する試験発行ステータス、Ｐｉｎｇ試験の自動実施の結果（ＯＫ／ＮＧ）を管理するＰｉｎｇ試験結果、ＬＢ試験の自動実施の結果（ＯＫ／ＮＧ）を管理するＬＢ試験結果、にて管理する。
【００３３】
ここで、内容は参照可能であり、自動化で設定または試験がＮＧであった場合は、（自動化を使わない通常の作業においてもＮＧの場合は同様の対処が必要であるが、）当該の各Ｌ２ＳＷ装置およびメディアコンバータに対して、設定または試験がエラーになった箇所を切り分けて、設定し直す等の対処が必要になることに留意されたい。
【符号の説明】
【００３４】
１０：ネットワーク管理装置、１１：自動開通実施時刻指定部、１２：自動オーダ抽出部、１３：自動ＭＡＣアドレス収集部（ＬＢ試験用）、１４：自動設定処理部、１５：自動試験処理部、１６：自動ステータス／結果管理部（設定・試験実施に関する内容）。
【先行技術文献】
【非特許文献】
【００３５】
【非特許文献１】日経ＮＥＴＷＯＲＫ，２０１３年５月号，ｐ．５０−５２，“歴史をひも解くイーサネットの強みは適応力  １０ＧｂＥ以降は自ら新技術を開拓“
【非特許文献２】ＩＴＵ−Ｔ  Ｇ．８０１３／Ｙ．１７３１, ０７／２０１１
【非特許文献３】ＲＦＣ７９２ ＩＮＴＥＲＮＥＴ ＣＯＮＴＲＯＬ ＭＥＳＳＡＧＥ ＰＲＯＴＯＣＯＬ（ＩＰｖ４）, Ｓｅｐｔｅｍｂｅｒ １９８１
【非特許文献４】ＲＦＣ４４４３ ＩＮＴＥＲＮＥＴ ＣＯＮＴＲＯＬ ＭＥＳＳＡＧＥ ＰＲＯＴＯＣＯＬ（ＩＰｖ６）, Ｍａｒｃｈ ２００６
【非特許文献５】ＩＴＵ−Ｔ Ｒｅｃ．Ｇ．８０３２／Ｙ．１３４４，Ａｍｅｎｄｍｅｎｔ，０４／２００９
【図１】
0006270041.tif 000002
【図２】
0006270041.tif 000003
【図３】
0006270041.tif 000004
【図４】
0006270041.tif 000005
【図５】
0006270041.tif 000006
【図６】
0006270041.tif 000007
【図７】
0006270041.tif 000008
【図８】
0006270041.tif 000009